(57)【特許請求の範囲】
【請求項１】
フィルムを重ねて融着した融着部を有する容器本体と、前記容器本体に接続された複数の注排用ポートからなり、前記複数の注排用ポートの各々は前記融着部に設けられた各々の接続部を介して前記容器本体の前記融着部に接続されている薬液収納容器において、前記注排出用ポートは、硬質プラスチックからなる管体を備え、さらに、前記薬液収納容器は、前記各々の接続部の間の前記融着部に設けられたスリットを有することを特徴とする薬液収納容器。
【請求項２】
少なくとも一つの開口部を有する袋体の当該開口部を融着により閉口した融着部を有する薬液を収納する容器本体と、前記容器本体に略同一方向に向いて接続された複数の注排用ポートからなり、前記複数の注排用ポートの各々は前記融着部に設けられた各々の接続部を介して前記容器本体の前記融着部に接続されている薬液収納容器において、前記注排出用ポートは、硬質プラスチックからなる管体を備え、さらに、前記薬液収納容器は、前記各々の接続部の間の前記融着部に設けられたスリットを有することを特徴とする薬液収納容器。
【請求項３】
前記スリットは、短めのＵ字状である請求項１または２に記載の薬剤収容容器。
【請求項４】
前記スリットは、長めのＵ字状である請求項１または２に記載の薬剤収容容器。
【請求項５】
前記スリットは、幅のない切れ目の端に丸穴を有するものである請求項１または２に記載の薬剤収容容器。
【発明の詳細な説明】
【０００１】
【発明の属する技術分野】
本発明は、輸液剤などの液剤を収納する薬液収納容器に関するものである。
【０００２】
【従来の技術】
従来より輸液療法において高カロリー輸液剤などを投与する場合には、複数の注排用ポートを備えたプラスチック製容器が使用されている。このプラスチック製容器はポリエチレン、ポリプロピレン、エチレン−酢酸ビニル共重合体等の熱可塑性プラスチック材料をインフレーション成形により筒状に成形し、注排用ポートの接続部を残して、上下端或いは左右端を含む四端部を熱融着、高周波融着又は超音波融着等により処理されている。また、注排用ポートは一端にゴム栓が封入されたキャップが装着され、他端に開口部を有する注排用管体かれ成形され、前記開口部から前記注排用ポートの接続部に挿入され、熱融着、高周波融着又は超音波融着等によって固定されている。このプラスチック製容器には高カロリー輸液剤などの基本液が収納されており、複数の注排用ポートのうちの一つを排出用に、他をアミノ酸、ビタミン類など混合用液剤を注入するために使用されている。
【０００３】
【発明が解決しようとする課題】
しかし、従来のプラスチック製容器では、特に大容量のプラスチック製容器で収納されている液剤の量が多く重くなっている時に、同一方向に向かっている複数の注排用ポートのうちの一つを持ち上げると、当該持ち上げたられた注排用ポートが固定されている接続部に負担がかかり、操作性が悪くなると同時に接続部に切れ若しくは裂け等の破損が生じるおそれがある。そこで本発明は上記問題点を鑑みて、接続部に負担がかからないプラスチック製の薬液収納容器を提供することにある。
【０００４】
【課題を解決するための手段】
本発明は、フィルムを重ねて融着した融着部を有する容器本体と、前記容器本体に接続された複数の注排用ポートからなり、前記複数の注排用ポートの各々は前記融着部に設けられた各々の接続部を介して前記容器本体の前記融着部に接続されている薬液収納容器において、前記注排出用ポートは、硬質プラスチックからなる管体を備え、さらに、前記薬液収納容器は、前記各々の接続部の間の前記融着部に設けられたスリットを有することを特徴とする薬液収納容器である。
【０００５】
また、本発明は、少なくとも一つの開口部を有する袋体の当該開口部を融着により閉口した融着部を有する薬液を収納する容器本体と、前記容器本体に略同一方向に向いて接続された複数の注排用ポートからなり、前記複数の注排用ポートの各々は前記融着部に設けられた各々の接続部を介して前記容器本体の前記融着部に接続されている薬液収納容器において、前記注排出用ポートは、硬質プラスチックからなる管体を備え、さらに、前記薬液収納容器は、前記各々の接続部の間の前記融着部に設けられたスリットを有することを特徴とする薬液収納容器である。
【０００６】
【発明の実施の形態】
本発明の実施形態を図を用いて説明する。図１は薬液収納容器１は、容器本体２と第一注排用ポート３及び第二注排用ポート４から構成される。容器本体２は軟質プラスチック製インフレーションフィルムの四端部を、熱融着、高周波融着又は超音波融着等で融着されている。なお、上端融着部５は、はじめに第一注排用ポート３及び第二注排用ポート４の第一接続部５１及び第二接続部５２を残して熱融着、高周波融着又は超音波融着等の処理がなされ、その後第一注排用ポート３及び第二注排用ポート４を挿入された後に熱融着、高周波融着又は超音波融着等の処理がなされる。容器本体２に用いる軟質プラスチックとしては、特に限定されず、ポリエチレン、ポリプロピレン、エチレン−酢酸ビニル共重合体、塩化ビニルなどの熱可塑性プラスチック材料があげられ、これらを多層構造に成形して使用しても良い。
【０００７】
第一注排用ポート３は、両端が開口する第一注排用管体３１と第一キャップ３２から構成されており、第一キャップ３２はその内部にゴム栓などの封止体（図示しない）が挿入されて第一注排用管体３１の一方の開口を液密に固定している。第二注排用ポート４も同様に第二注排用管体４１と第二キャップ４２から構成されている。第一注排用管体３１、第二注排用管体４１、第一キャップ３２及び第二キャップ４２の材料としては、特に限定されず、ポリプロピレン、ポリエチレンなどの硬質プラスチックがあげられる。ゴム栓などの封止体の材料としては、特に限定されず、イソプレンゴム、ブチルゴム、シリコーンゴム、熱可塑性エラストマーゴムなどがあげられる。
【０００８】
薬液収納容器１は、容器本体２に設けられた上端融着部５の第一接続部５１及び第二接続部５２に、第一注排用ポート３及び第二注排用ポート４のキャップが設けられていない側の端部を挿入し、熱融着、高周波融着又は超音波融着等の処理により固定した後、上端融着部５の第一接続部５１と第二接続部５２のほぼ中間位置にＵ字状のスリット６を成形することによって得られる。なお、予め上端融着部５にＵ字状のスリット６を成形した後、第一注排用ポート３及び第二注排用ポート４を固定しても良い。その後、薬液収納容器１には液剤が充填される。なお、特に限定されないが、薬液収納容器１の許容量は体積で約１.０〜４.０リットル、重さで約１０００〜４０００ｇとなる。
【０００９】
スリット６の形状については、特に限定されず、図１に示す短めのＵ字状のものの他に、図２に示す長めのＵ字状のもの、図３に示す幅のない切れ目の端に丸穴を有するもの、図４に示す長方形状のものがあげられる。スリット６の長さ、幅などの寸法は、上端融着部５の幅、長さ、硬さや、液剤を充填した時の薬液収納容器１の重量などにより任意に設定できる。特に限定はしないが具体的には長さ３〜１０ｍｍ、幅１〜１０ｍｍの範囲内で設定する。
【００１０】
このスリット６によって、輸液療法を行う際に薬液収納容器１を吊り下げ若しくは静置して固定し、第一注排用ポート３及び第二注排用ポート４に同一方向から別々のチューブを接続しそのうちの一本を別方向へ向ける場合や、それぞれ異なる方向から別のチューブを接続した場合に、スリット６を境目にして第一注排用ポート３及び第二注排用ポート４は接続部５１及び接続部５２と共にチューブの方向に向くこと可能となる。したがって、第一接続部５１及び第二接続部５２への負担が軽減されるため、下記の試験例が示すように第一注排用ポート３と接続部５１、第二注排用ポート４と接続部５２の熱融着、高周波融着又は超音波融着等が破損するのを防ぐことができる。
【００１１】
本発明において注排用ポートの数は二つに限る必要はない。また、その時に全ての注排用ポートの間にスリットを設ける必要はなく、必要な注排用ポートの間にのみスリットを設けても良い。
【００１２】
（試験例）
以下に試験例を示し、本発明の効果について説明する。まず、図１に記載される薬液収納容器１を作製した。はじめに低密度ポリエチレン製インフレーションフィルムを二枚重ねて四端を熱融着により融着して容器本体２を得た。この時、第一注排用ポート３及び第二注排用ポート４の第一接続部５１及び第二接続部５２は残して融着した。そして、第一注排用ポート３及び第二注排用ポート４を第一接続部５１及び第二接続部５２に挿入して、第一注排用ポート３と第一接続部５１、第二注排用ポート４と第二接続部５２を熱融着により固定し、上端融着部５の第一注排用ポート３及び第二注排用ポート４の中間にスリット６を設けた。上端融着部５の幅ａは１５ｍｍ、スリット６の長さは１０ｍｍ、幅は４ｍｍ、第一注排用ポート３及び第二注排用ポート４の距離ｂは４４ｍｍとした。その後、１０６℃、０.８kgf/cm2、２５分間の高圧蒸気滅菌を行った。
【００１３】
次にスリット６を設けない以外は上記と同様の比較例を作製し、同様に高圧蒸気滅菌を行った。
【００１４】
薬液収納容器１の第一注排用ポート３を固定して第二注排用ポート４をスリット６の反対方向（注排用ポートの長手方向に対して垂直）に５００ｍｍ／分の速度で引っ張り、いずれの注排用ポートもしくは接続部が破損する最大荷重を測定した。その結果、２０回の平均値は２６.３ｋｇであった。同様に比較例で測定した結果、２０回の平均値は１８.２ｋｇであった。
【００１５】
【発明の効果】
本発明の薬液収納容器は、複数の注排用ポートのうちの一本を他のものと別方向に引っ張られても、スリットにより負担が軽減されるため、注排用ポートと接続部の熱融着、高周波融着又は超音波融着等の破損を防ぐことができる。
【図面の簡単な説明】
【図１】本発明の薬液収納容器の正面図である。
【図２】本発明の薬液収納容器に設けられるスリットの別形状（長めのＵ字状タイプ）の部分拡大図である。
【図３】本発明の薬液収納容器に設けられるスリットの別形状（切れ目の端に丸穴タイプ）の部分拡大図である。
【図４】本発明の薬液収納容器に設けられるスリットの別形状（長方形タイプ）の部分拡大図である。
【符号の説明】
１    薬液収納容器
２    容器本体
３    第一注排用ポート
３１  第一注排用管体３１
３２  第一キャップ
４    第二注排用ポート
４１  第二注排用管体３１
４２  第二キャップ
５    上端融着部
５１  第一接続部
５２  第二接続部
６    スリット
【図１】
0003841518.tif 000002
【図２】
0003841518.tif 000003
【図３】
0003841518.tif 000004
【図４】
0003841518.tif 000005